(57)【要約】      （修正有）【課題】通信に用いる通信帯域幅を割り当て可能な基地局装置に、端末装置が接続する時間を短縮する。【解決手段】複数の端末装置と無線接続し通信を中継する複数の基地局装置を有する通信システムの基地局装置であって、端末装置に提供する複数の通信帯域幅に対応する複数の候補通信帯域幅情報を含み、端末装置が無線接続可能な基地局装置を検出するための検出用信号を報知する報知部と、候補通信帯域幅情報を含む接続要求を端末装置から受信する受信部と、接続要求に含まれる候補通信帯域幅情報に対応する通信帯域幅を接続要求送信元の端末装置に提供することができる場合、端末装置と無線接続を行う接続制御部とを有する。接続要求に含まれる候補通信帯域幅情報は、端末装置が受信した検出用信号に含まれる複数の候補通信帯域幅情報のうち、端末装置が行う通信に用いる通信帯域幅に対応し、端末装置によって選択された候補通信帯域幅情報である。【選択図】図６
2018098685.tif 000002
【特許請求の範囲】
【請求項１】
複数の端末装置と、前記複数の端末装置それぞれと無線接続し、前記端末装置が行う通信を中継する複数の基地局装置を有する通信システムに含まれる基地局装置であって、
前記端末装置に提供する複数の通信帯域幅に対応する複数の候補通信帯域幅情報を含み、前記端末装置が無線接続可能な基地局装置を検出するための検出用信号を、報知する報知部と、
前記複数の候補通信帯域幅情報のいずれか１つの候補通信帯域幅情報を含む接続要求を、前記端末装置から受信する受信部と、
前記接続要求に応答し、前記接続要求に含まれる候補通信帯域幅情報に対応する通信帯域幅を、前記接続要求の送信元の前記端末装置に提供することができる場合、前記端末装置と前記無線接続を行う接続制御部とを有し、
前記接続要求に含まれる候補通信帯域幅情報は、前記端末装置が受信した検出用信号に含まれる前記複数の候補通信帯域幅情報のうち、前記端末装置が行う通信に用いる通信帯域幅に対応し、前記端末装置によって選択された候補通信帯域幅情報である
基地局装置。
【請求項２】
前記接続制御部は、前記接続要求を送信する端末装置以外の端末装置であって、前記基地局装置に無線接続済みの接続中端末装置に提供している通信帯域幅を示す提供済通信帯域幅に基づき、前記接続要求に含まれる候補通信帯域幅情報に対応する通信帯域幅を、前記接続要求の送信元の前記端末装置に提供することができるか否かを判定する
請求項１記載の基地局装置。
【請求項３】
前記候補通信帯域幅情報は、近距離無線通信において使用する、前記端末装置と前記基地局装置との間のネットワークを識別するネットワーク識別子である
請求項１記載の基地局装置。
【請求項４】
前記報知部は、他の基地局装置が前記検出用信号に含め報知する前記識別子と同じ識別子を、前記検出用信号に含め報知する
請求項１記載の基地局装置。
【請求項５】
複数の端末装置と、前記複数の端末装置それぞれと無線接続し、前記端末装置が行う通信を中継する複数の基地局装置を有する通信システムに含まれる端末装置であって、
前記基地局装置が報知する、前記端末装置に提供する複数の通信帯域幅に対応する複数の候補通信帯域幅情報を含み、前記端末装置が無線接続可能な基地局装置を検出するための検出用信号を、受信する報知情報受信部と、
前記受信した検出用信号に含まれる前記複数の候補通信帯域幅情報のうち、前記通信に用いる通信帯域幅に対応する１つの候補通信帯域幅を含む接続要求を前記基地局装置に送信する要求送信部とを有し、
前記接続要求によって、前記接続要求を受信した前記基地局装置が、前記接続要求に含まれる候補通信帯域幅情報に対応する通信帯域幅を前記端末装置に提供することができる場合、前記基地局装置に前記端末装置と前記無線接続を行わせる
端末装置。
【請求項６】
複数の端末装置と、前記複数の端末装置それぞれと無線接続し、前記端末装置が行う通信を中継する複数の基地局装置を有する通信システムであって、
前記基地局装置は、前記端末装置に提供する複数の通信帯域幅に対応する複数の候補通信帯域幅情報を含み、前記端末装置が無線接続可能な基地局装置を検出するための検出用信号を、報知し、
前記端末装置は、前記基地局装置が報知する検出用信号を受信し、前記受信した検出用信号に含まれる前記複数の候補通信帯域幅情報のうち、前記通信に用いる通信帯域幅に対応する１つの候補通信帯域幅を含む接続要求を前記基地局装置に送信し、
前記基地局装置は、前記接続要求に応答し、前記接続要求に含まれる候補通信帯域幅情報に対応する通信帯域幅を、前記接続要求の送信元の前記端末装置に提供することができる場合、前記端末装置と前記無線接続を行う
通信システム。
【請求項７】
複数の端末装置と、前記複数の端末装置それぞれと無線接続し、前記端末装置が行う通信を中継する複数の基地局装置を有する通信システムにおける通信方法であって、
前記基地局装置が、前記端末装置に提供する複数の通信帯域幅に対応する複数の候補通信帯域幅情報を含み、前記端末装置が無線接続可能な基地局装置を検出するための検出用信号を、報知し、
前記端末装置が、前記基地局装置が報知する検出用信号を受信し、前記受信した検出用信号に含まれる前記複数の候補通信帯域幅情報のうち、前記通信に用いる通信帯域幅に対応する１つの候補通信帯域幅を含む接続要求を前記基地局装置に送信し、
前記基地局装置が、前記接続要求に応答し、前記接続要求に含まれる候補通信帯域幅情報に対応する通信帯域幅を、前記接続要求の送信元の前記端末装置に提供することができる場合、前記端末装置と前記無線接続を行う
通信方法。
【発明の詳細な説明】
【技術分野】
【０００１】
本発明は、基地局装置、端末装置、通信システム、及び通信方法に関する。
【背景技術】
【０００２】
近年、無線ＬＡＮを用いた通信システムでは、無線ＬＡＮの利用者の増加に伴い、多くの基地局装置が設置される。多くの基地局装置が設置されると、複数の基地局装置の通信エリアが重複する。重複した通信エリアに位置する端末装置は、通信エリアが重複する複数の基地局装置のいずれかの基地局装置と無線接続し、他の通信装置と通信を行う。
【０００３】
重複した通信エリアに位置する端末装置が無線接続する基地局装置は、例えば、端末装置が受信する電波の電波状態が良好な基地局装置、または、端末装置がブロードキャストで送信した無線接続の要求メッセージに対する応答メッセージを、端末装置が最先で受信した基地局装置である。
【０００４】
基地局装置に関する技術は、以下の特許文献１及び２に記載されている。
【先行技術文献】
【特許文献】
【０００５】
【特許文献１】特表２０１３−５０２８２６号公報
【特許文献２】特開２０１５−０１２５４９号公報
【発明の概要】
【発明が解決しようとする課題】
【０００６】
しかし、端末装置が電波状態や応答メッセージの受信順序により接続する基地局装置を決定すると、１つの基地局装置に多くの端末装置が集中し、端末装置が通信に基いる通信帯域幅を割り当てることができない場合がある。
【０００７】
この場合、端末装置は、例えば、通信に用いる通信帯域幅を割り当てられるまで、接続する基地局装置を変更する処理を行う。しかし、この処理では、通信に用いる通信帯域幅を割り当てられるまでに時間がかかり、端末装置が迅速な通信を行うことができない。
【０００８】
そこで、一開示は、通信に用いる通信帯域幅を割り当てることができる基地局装置に、端末装置が接続する時間を短縮する基地局装置、端末装置、通信システム、及び通信方法を提供する。
【課題を解決するための手段】
【０００９】
１つの側面では、複数の端末装置と、前記複数の端末装置それぞれと無線接続し、前記端末装置が行う通信を中継する複数の基地局装置を有する通信システムに含まれる基地局装置であって、前記端末装置に提供する複数の通信帯域幅に対応する複数の候補通信帯域幅情報を含み、前記端末装置が無線接続可能な基地局装置を検出するための検出用信号を、報知する報知部と、前記複数の候補通信帯域幅情報のいずれか１つの候補通信帯域幅情報を含む接続要求を、前記端末装置から受信する受信部と、前記接続要求に応答し、前記接続要求に含まれる候補通信帯域幅情報に対応する通信帯域幅を、前記接続要求の送信元の前記端末装置に提供することができる場合、前記端末装置と前記無線接続を行う接続制御部とを有し、前記接続要求に含まれる候補通信帯域幅情報は、前記端末装置が受信した検出用信号に含まれる前記複数の候補通信帯域幅情報のうち、前記端末装置が行う通信に用いる通信帯域幅に対応し、前記端末装置によって選択された候補通信帯域幅情報である。
【発明の効果】
【００１０】
一開示は、通信に用いる通信帯域幅を割り当てることができる基地局装置に、端末装置が接続する時間を短縮することができる。
【図面の簡単な説明】
【００１１】
【図１】図１は、通信システム１０の構成例を示す図である。
【図２】図２は、基地局装置２００の残割当可能信帯域幅、及び端末装置１００−１の要求通信帯域幅の例を示す図である。
【図３】図３は、基地局装置２００の構成例を示す図である。
【図４】図４は、識別子−通信帯域幅対応テーブル２２４の例を示す図である。
【図５】図５は、端末装置１００の構成例を示す図である。
【図６】図６は、通信を開始する端末装置１００が基地局装置２００と無線接続する基地局接続処理のシーケンスの例を示す図である。
【図７】図７は、基地局選択処理Ｓ１０９の処理フローチャートの例を示す図である。
【図８】図８は、接続判定処理Ｓ１１１の処理フローチャートの例を示す図である。
【図９】図９は、端末装置１００−１からの接続要求を受信したときの、基地局装置２００−１，２の提供済通信帯域幅及び残割当可能通信帯域幅の例を示す図である。
【図１０】図１０は、第２の実施の形態における、識別子−通信帯域幅対応テーブル２２４の例を示す図である。
【発明を実施するための形態】
【００１２】
[第１の実施の形態]
第１の実施の形態について説明する。第１の実施の形態における通信システムは、複数の端末装置と、複数の端末装置それぞれと無線接続し、端末装置が行う通信を中継する複数の基地局装置を有する。基地局装置は、端末装置に提供する複数の通信帯域幅に対応する複数の候補通信帯域幅情報を含み、端末装置が無線接続可能な基地局装置を検出するための検出用信号を、報知する。また、基地局装置は、複数の候補通信帯域幅情報のいずれか１つの候補通信帯域幅情報を含む接続要求を、端末装置から受信する。さらに、基地局装置は、接続要求に応答し、接続要求に含まれる候補通信帯域幅情報に対応する通信帯域幅を、接続要求の送信元の端末装置に提供することができる場合、端末装置と無線接続を行う。接続要求に含まれる候補通信帯域幅情報は、端末装置が受信した検出用信号に含まれる複数の候補通信帯域幅情報のうち、端末装置が行う通信に用いる通信帯域幅に対応し、端末装置によって選択された候補通信帯域幅情報である。
【００１３】
＜通信システムの構成例＞
図１は、通信システム１０の構成例を示す図である。通信システム１０は、端末装置１００−１〜４（以降、端末装置１００と呼ぶ場合がある）、及び基地局装置２００−１、２（以下、基地局装置２００と呼ぶ場合がある）を有する。通信システム１０は、例えば、ワイファイ（Wi-Fi：Wireless Fidelity）などの近距離無線通信の通信規格に準拠した無線通信システムである。
【００１４】
端末装置１００は、基地局装置２００と無線接続し、基地局装置２００を介して他の通信装置とデータを含むパケットを送受信することで、他の通信装置と通信を行う。端末装置１００は、例えば、スマートフォンやタブレット端末などの移動体通信装置である。
【００１５】
基地局装置２００は、端末装置１００と無線接続し、端末装置１００の行う通信を中継する。基地局装置２００−１，２は、それぞれ通信エリアＡ１、Ａ２を有する。通信エリアは、基地局装置２００−１，２が端末装置１００と無線接続することができる範囲である。例えば、通信エリアＡ１の範囲内に位置する端末装置１００−１は、基地局装置２００−１と無線接続することができる。基地局装置２００は、例えば、ワイファイに準拠した通信システムにおけるアクセスポイントである。
【００１６】
図１においては、端末装置１００−２は、通信エリアＡ１に位置し、端末装置１００−３，４は通信エリアＡ２に位置する。そして、端末装置１００−２は、基地局装置２００−１と無線接続済みであり、端末装置１００−３，４は、基地局装置２００−２と無線接続済みである。
【００１７】
一方、端末装置１００−１は、通信エリアＡ１と通信エリアＡ２が重複する範囲に位置する。すなわち、端末装置１００−１は、基地局装置２００−１と基地局装置２００−２のどちらとも無線接続し、通信することができる。
【００１８】
以下、通信システム１０において、端末装置１００−１が通信を行うため、基地局装置２００−１または基地局装置２００−２との無線接続を要求する処理について説明する。
【００１９】
端末装置１００−１は、通信を開始するとき、無線接続が可能な基地局装置２００−２を検索する。端末装置１００−１は、例えば、無線接続が可能であることを示す、基地局装置２００が送信する検出用信号を受信することで、基地局装置２００−１又は基地局装置２００−２と無線接続が可能であることを検出する。
【００２０】
図２は、基地局装置２００の割当可能な通信帯域幅に対する残割当可能通信帯域幅、及び端末装置１００−１の要求通信帯域幅の例を示す図である。割当可能な通信帯域幅は、基地局装置２００が１台も端末装置１００と接続していない状態において、新規に接続する端末装置１００に割り当てることが可能な通信帯域幅である。残割当可能通信帯域幅は、割当可能な通信帯域幅から、他の端末装置１００に割り当てている、もしくは他の端末装置１００が通信に使用中である通信帯域幅（提供済通信帯域幅）を減じた通信帯域幅である。要求通信帯域幅、端末装置１００が通信に使用する通信帯域幅である。
【００２１】
図２によると、基地局装置２００−１，２の割当可能な通信帯域幅は、ＲＡＭｂｐｓ（Mega bit per second）である。端末装置１００−２，３，４が通信に使用している通信帯域幅は、それぞれＲ２、Ｒ３、Ｒ４Ｍｂｐｓである。そして、端末装置１００−１の要求通信帯域幅は、Ｒ１Ｍｂｐｓである。
【００２２】
基地局装置２００−１は、割当可能な通信帯域幅ＲＡに対して、端末装置１００−２にＲ２の通信帯域幅を割当済みである。よって、基地局装置２００−１の端末装置１００−１の残割当可能通信帯域幅は、ＲＡからＲ２を減じた数値（ＲＡ−Ｒ２）となる。同様に、基地局装置２００−２の残割当可能通信帯域幅は、Ｒ３とＲ４の合計を、ＲＡから減じた数値（ＲＡ−（Ｒ３＋Ｒ４））となる。
【００２３】
基地局装置２００−１の残割当可能通信帯域幅（ＲＡ−Ｒ２）が、端末装置１００−１の要求通信帯域幅（Ｒ１）より小さい場合、端末装置１００−１は基地局装置２００−１と無線接続しても、十分な通信帯域幅を用いた通信を行うことができない。通信に使用する通信帯域幅が不足すると、端末装置１００−１は、例えば、データの送受信に待ち時間が発生し、享受するサービスが途切れたりする場合がある。
【００２４】
また、端末装置１００−１が十分な通信帯域幅を使用できない基地局装置２００−１に接続した場合、端末装置１００−１は、基地局装置２００−１との接続を切断し、基地局装置２００−２に再接続してもよい。しかし、この場合、基地局装置２００−２が端末装置１００−１に十分な通信帯域幅を割当可能であるとしても、端末装置１００−１は、基地局装置２００−１と接続してから基地局装置２００−２に切り替える処理を行うこととなり、処理に時間がかかる。
【００２５】
そこで、第１の実施の形態では、基地局装置２００は、端末装置１００が基地局装置２００に接続するとき、端末装置１００が通信に使用する通信帯域幅（以降、要求通信帯域幅と呼ぶ）に関する情報を取得し、自装置が端末装置１００に要求通信帯域幅を割り当てることが可能な場合、端末装置１００と無線接続する。これにより、端末装置１００は、再接続などの処理を行うことなしに、要求通信帯域幅を割当可能な基地局装置２００と短時間で無線接続することができる。
【００２６】
＜基地局装置の構成例＞
図３は、基地局装置２００の構成例を示す図である。基地局装置２００は、ＣＰＵ（Central Processing Unit）２１０、ストレージ２２０、ＤＲＡＭ（Dynamic Random Access Memory）などのメモリ２３０、ＮＩＣ（Network Interface Card）２４０、及びＲＦ（Radio Frequency）回路２５０を有する。
【００２７】
ストレージ２２０は、プログラムやデータを記憶する、フラッシュメモリ、ＨＤＤ（Hard Disk Drive）、又はＳＳＤ（Solid State Drive）などの補助記憶装置である。ストレージ２２０は、通信制御プログラム２２１、接続制御プログラム２２２、検出用信号報知プログラム２２３、及び識別子−通信帯域幅対応テーブル２２４を記憶する。
【００２８】
識別子−通信帯域幅対応テーブル２２４は、識別子と、識別子に対応する通信帯域幅を記憶するテーブルである。図４は、識別子−通信帯域幅対応テーブル２２４の例を示す図である。識別子−通信帯域幅対応テーブル２２４に記憶される情報要素は、例えば、「ネットワーク識別子」と「通信帯域幅」である。
【００２９】
「ネットワーク識別子」は、例えば、基地局装置２００が検出用信号に含め報知する識別子であり、ワイファイに準拠した通信システムにおけるＥＳＳＩＤ（Extended Service Set Identifier）である。ＥＳＳＩＤは、基地局装置２００が報知情報に含め報知するネットワークを識別するネットワーク識別子であり、基地局装置を識別するＳＳＩＤ（Service Set Identifier）を拡張した識別子である。ネットワークは、例えば、基地局装置２００と端末装置１００間を接続するネットワークである。基地局装置２００は、複数のＥＳＳＩＤを含む報知情報を報知する。通信システム１０における複数の基地局装置２００は、同じＥＳＳＩＤを含む報知情報を報知してもよい。
【００３０】
「通信帯域幅」は、端末装置１００に割当られる（提供される）スループットであり、単位はＭｂｐｓである。通信帯域幅は、例えば、２０Ｍｂｐｓ未満、２０Ｍｂｐｓ以上５０Ｍｂｐｓ未満、５０Ｍｂｐｓ以上など、通信帯域幅の範囲を示す。
【００３１】
図４において、例えば、ネットワーク識別子ＩＤ１は、通信帯域幅２０Ｍｂｐｓ未満に対応する。端末装置１００は、通信に使用する通信帯域幅（要求通信帯域幅）が２０Ｍｂｐｓ未満である場合、ネットワーク識別子ＩＤ１を含む、基地局装置２００に無線接続を要求するメッセージである接続要求を、基地局装置２００に送信する。基地局装置２００は、接続要求に含まれるネットワーク識別子に基づき、端末装置１００の要求通信帯域幅を認識し、要求通信帯域幅が割当可能か否かを判定する。
【００３２】
第１の実施の形態では、複数のネットワーク識別子それぞれは、通信帯域幅に対応する。ネットワーク識別子は、基地局装置２００が端末装置１００に割り当てる（あるいは提供する）候補となる通信帯域幅（以降、候補通信帯域幅と呼ぶ場合がある）を示す。すなわち、ネットワーク識別子は、基地局装置２００の候補通信帯域幅を示す候補通信帯域幅情報である。
【００３３】
なお、第１の実施の形態では、ネットワーク識別子を候補通信帯域幅情報として使用するが、基地局装置２００が報知する情報に含まれる、ネットワーク識別子以外の情報要素を候補通信帯域幅として使用してもよい。基地局装置２００は、端末装置１００と接続する前に、候補通信帯域幅情報を含む報知情報を報知できればよい。
【００３４】
メモリ２３０は、ストレージ２２０に記憶されているプログラムをロードする領域である。また、メモリ２３０は、プログラムがデータを記憶する領域としても使用される。
【００３５】
ＮＩＣ２４０は、他の基地局装置２００や外部ネットワークと接続するネットワークインターフェースである。基地局装置２００は、ＮＩＣ２４０介して、他の通信装置や外部ネットワークとパケットの送受信を行うことで、端末装置１００の通信を中継する。
【００３６】
ＲＦ回路２５０は、端末装置１００と無線接続する装置である。ＲＦ回路２５０は、例えば、アンテナを有し、無線接続する端末装置１００と電波を送受信することで、端末装置１００とデータを含むパケットの送受信を行う。
【００３７】
ＣＰＵ２１０は、通信制御プログラム２２１を実行することで、通信制御処理を行う。通信制御処理は、端末装置１００が行う通信を中継する処理である。基地局装置２００は、通信制御処理において、例えば、端末装置１００から受信したパケットをパケットの送信先に送信する。また、基地局装置２００は、通信制御処理において、例えば、端末装置１００宛てのパケットを受信すると、端末装置１００に受信したパケットを送信する。
【００３８】
また、ＣＰＵ２１０は、接続制御プログラム２２２を実行することで、受信部及び接続制御部を構築し、接続制御処理を行う。接続制御処理は、端末装置１００との無線接続を制御する処理である。また、接続制御処理は、後述する接続要求受信処理と接続判定処理を含む。
【００３９】
ＣＰＵ２１０は、接続要求受信モジュール２２２１を実行することで、受信部を構築し、接続要求受信処理を行う。接続要求受信処理は、端末装置１００から接続要求を受信する処理である。
【００４０】
ＣＰＵ２１０は、接続判定モジュール２２２２を実行することで、接続制御部を構築し、接続判定処理を行う。接続判定処理は、接続要求を送信する端末装置１００と無線接続するか否かを判定する処理である。
【００４１】
さらに、ＣＰＵ２１０は、検出用信号報知プログラム２２３を実行することで、報知部を構築し、検出用信号報知処理を行う。検出用信号報知処理は、端末装置１００に検出用信号を報知する処理である。基地局装置２００は、識別子−通信帯域幅対応テーブル２２４に記憶されたネットワーク識別子の全てを、検出用信号に含め、端末装置１００に報知する。報知する検出用信号は、例えば、図４に示すネットワーク識別子ＩＤ１，ＩＤ２，ＩＤ３を全て含む。また、基地局装置２００は、ネットワーク識別子ＩＤ１を含む検出用信号と、ネットワーク識別子ＩＤ２を含む検出用信号と、ネットワーク識別子ＩＤ３を含む検出用信号とを、それぞれ異なる検出用信号として報知してもよい。
【００４２】
＜端末装置の構成例＞
図５は、端末装置１００の構成例を示す図である。端末装置１００は、ＣＰＵ１１０、ストレージ１２０、ＤＲＡＭなどのメモリ１３０、及びＲＦ回路１５０を有する。
【００４３】
ストレージ１２０は、プログラムやデータを記憶する、フラッシュメモリ、ＨＤＤ、又はＳＳＤなどの補助記憶装置である。ストレージ１２０は、通信プログラム１２１、基地局接続プログラム１２２、及び識別子−通信帯域幅対応テーブル１２３を記憶する。
【００４４】
識別子−通信帯域幅対応テーブル１２３は、基地局装置２００がストレージ２２０に記憶する識別子−通信帯域幅対応テーブル２２４と同様のテーブルである。端末装置１００と基地局装置２００は、同様のテーブルを記憶することで、ネットワーク識別子と通信帯域幅の対応を共有する。
【００４５】
メモリ１３０は、ストレージ１２０に記憶されているプログラムをロードする領域である。また、メモリ１３０は、プログラムがデータを記憶する領域としても使用される。
【００４６】
ＲＦ回路１５０は、基地局装置２００と無線接続する装置である。ＲＦ回路１５０は、例えば、アンテナを有し、無線接続する基地局装置２００と電波を送受信することで、他の通信装置と通信を行う。
【００４７】
ＣＰＵ１１０は、通信プログラム１２１を実行することで、通信処理を行う。通信処理は、基地局装置２００を介して、通信相手の通信装置と通信を行う処理である。端末装置１００は、通信処理において、例えば、基地局装置２００を介して、通信相手の通信装置にパケットを送信する。また、端末装置１００は、通信処理において、例えば、基地局装置２００を介して、通信相手の通信装置からパケットを受信する。
【００４８】
また、ＣＰＵ１１０は、基地局接続プログラム１２２を実行することで、報知情報受信部、要求送信部を構築し、基地局接続処理を行う。基地局接続処理は、接続する基地局装置２００を決定し、基地局装置２００と無線接続を行う処理である。また、基地局接続処理は、後述する基地局検索処理、要求通信帯域幅取得処理、及び基地局選択処理を含む。
【００４９】
ＣＰＵ２１０は、基地局検索モジュール１２２１を実行することで、報知情報受信部を構築し、基地局検索処理を行う。基地局検索処理は、端末装置１００が無線接続可能な基地局装置２００を検索する処理である。端末装置１００は、基地局検索処理において、基地局装置２００が報知する（送信する）検出用信号を受信する。端末装置１００は、所定時間内に受信した検出用信号に含まれるネットワーク識別子を取得することで、無線接続可能な基地局装置２００（あるいはネットワーク）を検出する。
【００５０】
ＣＰＵ２１０は、要求通信帯域幅取得モジュール１２２２を実行することで、要求通信帯域幅取得処理を行う。要求通信帯域幅取得処理は、端末装置１００が通信に用いる要求通信帯域幅を取得する処理である。端末装置１００は、要求通信帯域幅取得処理において、例えば、スループットの計測結果を内部メモリに記憶する。そして、端末装置１００は、例えば、基地局装置２００に接続要求を送信した時間から所定期間内のスループットを、基地局装置２００に接続してから実行する通信のスループットとみなし、要求通信帯域幅として取得する。あるいは、端末装置１００は、例えば、アプリケーションごとにスループットを記憶しておき、通信に使用するアプリケーションのスループットの測定結果の平均値や、平均値に所定の係数を乗じた数値を、要求通信帯域幅として取得する。
【００５１】
ＣＰＵ２１０は、基地局選択モジュール１２２３を実行することで、要求送信部を構築し、基地局選択処理を行う。基地局選択得処理は、端末装置１００が無線接続する基地局装置２００を選択し、無線接続する処理である。端末装置１００は、基地局選択処理において、例えば、基地局検索処理で検出した基地局装置２００やネットワークの識別子から、要求通信帯域幅に基づいて接続するネットワーク識別子を選択する。端末装置１００は、例えば、選択したネットワーク識別子を含む接続要求を、基地局装置２００にブロードキャストで送信する。
【００５２】
＜基地局接続処理＞
図６は、通信を開始する端末装置１００が基地局装置２００と無線接続する基地局接続処理のシーケンスの例を示す図である。なお、識別子−通信帯域幅対応テーブル２２４は、図４の状態であるものとする。
【００５３】
端末装置１００−１は、通信を開始するとき、基地局検索処理を行う（Ｓ１０１）。端末装置１００−１は、基地局検索処理において、基地局装置２００が送信する検出用信号を受信し、検出用信号に含まれるネットワーク識別子を取得する。なお、以降、ネットワーク識別子がＥＳＳＩＤである場合を例として説明する。
【００５４】
基地局装置２００は、例えば、定期的に検出用信号を送信する。基地局装置２００−１は、ネットワーク識別子ＩＤ１、ＩＤ２、及びＩＤ３をそれぞれ含む報知情報（検出用信号）を報知する（Ｓ１０２、Ｓ１０３、Ｓ１０４）。同様に、基地局装置２００−２は、ネットワーク識別子ＩＤ１、ＩＤ２、及びＩＤ３をそれぞれ含む報知情報を報知する（Ｓ１０５、Ｓ１０６、Ｓ１０７）。
【００５５】
端末装置１００−１は、基地局検索処理Ｓ１０１において、報知情報Ｓ１０２〜Ｓ１０７を受信し、ネットワーク識別子ＩＤ１、ＩＤ２、及びＩＤ３を、接続可能なネットワーク識別子として検出する。
【００５６】
端末装置１００−１は、基地局検索処理Ｓ１０１を終了すると、要求通信帯域幅取得処理を行う（Ｓ１０８）。端末装置１００−１は、要求通信帯域幅取得処理において、要求通信帯域幅を取得する。
【００５７】
端末装置１００−１は、要求通信帯域幅取得処理Ｓ１０８を終了すると、基地局選択処理を行う（Ｓ１０９）。
【００５８】
図７は、基地局選択処理Ｓ１０９の処理フローチャートの例を示す図である。端末装置１００は、取得した要求通信帯域幅に応じたネットワーク識別子を選択する（Ｓ１０９１）。端末装置１００は、取得した要求通信帯域幅が５０Ｍｂｐｓ以上であった場合（Ｓ１０９１の５０以上）、ネットワーク識別子ＩＤ３を選択する（Ｓ１０９２）。図４より、ネットワーク識別子ＩＤ３に対応する通信帯域幅は５０Ｍｂｐｓ以上であり、端末装置１００は、通信帯域幅は５０Ｍｂｐｓ以上に対応するネットワーク識別子ＩＤを含めた接続要求を基地局装置２００に送信する。同様に、端末装置１００は、要求通信帯域幅が２０Ｍｂｐｓ以上５０Ｍｂｐｓ未満の場合（Ｓ１０９１の２０以上５０未満）、ネットワーク識別子ＩＤ２を選択する（Ｓ１０９３）。さらに、同様に、端末装置１００は、要求通信帯域幅が２０Ｍｂｐｓ未満の場合（Ｓ１０９１の２０未満）、ネットワーク識別子ＩＤ１を選択する（Ｓ１０９４）。
【００５９】
そして、端末装置１００は、選択したネットワーク識別子を含む接続要求を、基地局装置２００にブロードキャストで送信する。
【００６０】
図６のシーケンスに戻り、端末装置１００−１は、取得した要求スループット（ここでは、例えば６０Ｍｂｐｓとする）が５０Ｍｂｐｓ以上であるため（図７のＳ１０９１の５０以上）、ネットワーク識別子ＩＤ３を選択する（図７のＳ１０９２）。そして、端末装置１００−１は、選択したネットワーク識別子ＩＤ３を含む接続要求を、ブロードキャストで基地局装置２００−１，２に送信する（Ｓ１１０）。なお、シーケンスにおける点線矢印は、ブロードキャストによる送信であることを示す。
【００６１】
基地局装置２００−１，２は、端末装置１００−１から送信される接続要求を受信し、それぞれ接続判定処理を行う（Ｓ１１１）。
【００６２】
図８は、接続判定処理Ｓ１１１の処理フローチャートの例を示す図である。基地局装置２００は、接続要求を受信するのを待ち受ける（Ｓ１１１１のＮｏ）。基地局装置２００は、接続要求を受信すると（Ｓ１１１１のＹｅｓ）、接続要求に含まれるネットワーク識別子を取得する（Ｓ１１１２）。
【００６３】
基地局装置２００は、ネットワーク識別子がＩＤ１である場合（Ｓ１１１２のＩＤ１）、残割当可能通信帯域幅は０Ｍｂｐｓより大きいか否かを判定する（Ｓ１１１３）。基地局装置２００は、ネットワーク識別子ＩＤ１に対応する通信帯域幅である「２０Ｍｂｐｓ未満」の最小値（０Ｍｂｐｓを除く）、すなわち０Ｍｂｐｓより大きい通信帯域幅を割当可能であれば、端末装置１００の要求通信帯域幅を満たすことができると判定する。基地局装置２００は、残割当可能通信帯域幅が０Ｍｂｐｓより大きい場合（Ｓ１１１３のＹｅｓ）、ネットワーク識別子ＩＤ１を含む接続応答を端末装置１００に送信する（Ｓ１１１４）。
【００６４】
一方、基地局装置２００は、残割当可能通信帯域幅が０Ｍｂｐｓ以下の場合（Ｓ１１１３のＮｏ）、すなわち、残割当可能通信帯域幅が０Ｍｂｐｓの場合、接続応答を送信せず、接続要求の受信待ちとなる。
【００６５】
基地局装置２００は、ネットワーク識別子がＩＤ２である場合（Ｓ１１１２のＩＤ２）、残割当可能通信帯域幅は２０Ｍｂｐｓ以上か否かを判定する（Ｓ１１１５）。基地局装置２００は、ネットワーク識別子ＩＤ２に対応する通信帯域幅である「２０Ｍｂｐｓ以上５０Ｍｂｐｓ未満」の最小値である２０Ｍｂｐｓ以上の通信帯域幅を割当可能であれば、端末装置１００の要求通信帯域幅を満たすことができると判定する。基地局装置２００は、残割当可能通信帯域幅が２０Ｍｂｐｓ以上の場合（Ｓ１１１５のＹｅｓ）、ネットワーク識別子ＩＤ２を含む接続応答を端末装置１００に送信する（Ｓ１１１６）。
【００６６】
一方、基地局装置２００は、残割当可能通信帯域幅が２０Ｍｂｐｓ未満の場合（Ｓ１１１５のＮｏ）、接続応答を送信せず、接続要求の受信待ちとなる。
【００６７】
基地局装置２００は、ネットワーク識別子がＩＤ３である場合（Ｓ１１１２のＩＤ３）、残割当可能通信帯域幅は５０Ｍｂｐｓ以上か否かを判定する（Ｓ１１１７）。基地局装置２００は、ネットワーク識別子ＩＤ３に対応する通信帯域幅である「５０Ｍｂｐｓ以上」の最小値である５０Ｍｂｐｓ以上の通信帯域幅を割当可能であれば、端末装置１００の要求通信帯域幅を満たすことができると判定する。基地局装置２００は、残割当可能通信帯域幅が５０Ｍｂｐｓ以上の場合（Ｓ１１１７のＹｅｓ）、ネットワーク識別子ＩＤ３を含む接続応答を端末装置１００に送信する（Ｓ１１１８）。
【００６８】
一方、基地局装置２００は、残割当可能通信帯域幅が５０Ｍｂｐｓ未満の場合（Ｓ１１１７のＮｏ）、接続応答を送信せず、接続要求の受信待ちとなる。
【００６９】
図６のシーケンスに戻り、基地局装置２００−１，２は、それぞれ接続判定処理を行う（Ｓ１１１）。
【００７０】
図９は、端末装置１００−１からの接続要求を受信したときの、基地局装置２００−１，２の提供済通信帯域幅及び残割当可能通信帯域幅の例を示す図である。基地局装置２００−１，２の割当可能な通信帯域幅は１００Ｍｂｐｓである。
【００７１】
基地局装置２００−１は、端末装置１００−２と接続しており、端末装置１００−２に７０Ｍｂｐｓの通信帯域幅を割当済みである。よって、基地局装置２００−１の残割当可能通信待機幅は、３０Ｍｂｐｓ（１００Ｍｂｐｓ−７０Ｍｂｐｓ）である。
【００７２】
基地局装置２００−２は、端末装置１００−３，４と接続しており、端末装置１００−３，４にそれぞれ２０Ｍｂｐｓの通信帯域幅を割当済みである。よって、基地局装置２００−２の残割当可能通信待機幅は、６０Ｍｂｐｓ（１００Ｍｂｐｓ−（２０Ｍｂｐｓ＋２０Ｍｂｐｓ））である。以下、図９を例として、基地局装置２００−１及び２それぞれの接続判定処理Ｓ１１１について説明する。
【００７３】
基地局装置２００−１は、ネットワーク識別子ＩＤ３を含む接続要求を受信し（図８のＳ１１１１のＹｅｓ、Ｓ１１１２のＩＤ３）、残割当可能通信帯域幅は５０Ｍｂｐｓ以上か否かを判定する(図８のＳ１１１７)。基地局装置２００−１は、残割当可能通信帯域幅が３０Ｍｂｐｓであり５０Ｍｂｐｓ以上ではないため（図８のＳ１１１７のＮｏ）、接続応答を送信しない。
【００７４】
基地局装置２００−２は、ネットワーク識別子ＩＤ３を含む接続要求を受信し（図８のＳ１１１１のＹｅｓ、Ｓ１１１２のＩＤ３）、残割当可能通信帯域幅は５０Ｍｂｐｓ以上か否かを判定する(図８のＳ１１１７)。基地局装置２００−１は、残割当可能通信帯域幅が６０Ｍｂｐｓであり５０Ｍｂｐｓ以上であるため（図８のＳ１１１７のＹｅｓ）、ネットワーク識別子ＩＤ３を含む接続応答を端末装置１００−１に送信する（Ｓ１１２）。
【００７５】
端末装置１００−１は、基地局装置２００−２から接続応答を受信し、基地局装置２００−２と無線接続し、通信中となる（Ｓ１１３）。
【００７６】
なお、基地局装置２００は、図８の接続判定処理Ｓ１１１において、ネットワーク識別子に対応する通信帯域幅の最小値を要求通信帯域幅とみなしたが、最大値を要求通信帯域幅とみなしてもよい。この場合、図８の分岐処理Ｓ１１１３は、残割当可能通信帯域幅が２０Ｍｂｐｓ以上かを判定する処理となる。また、図８の分岐処理Ｓ１１１５は、残割当可能通信帯域幅が５０Ｍｂｐｓ以上かを判定する処理となる。分岐処理Ｓ１１１７は、ネットワーク識別子ＩＤ３に対応する通信帯域幅の最大値は無限大となるため、割り当てられる可能性がある最大値である割当可能な通信帯域幅（この場合１００Ｍｂｐｓ）以上かを判定する処理となる。最大値を要求通信帯域幅とみなすことで、端末装置１００は、より大きい残割当可能通信帯域幅の基地局装置２００と接続することができ、要求通信帯域幅以上のスループットが必要となった場合でも、通信帯域幅が不足しない可能性が高くなる。
【００７７】
第１の実施の形態では、端末装置１００が接続要求に要求通信帯域幅を含めることで、接続前の基地局装置２００に、端末装置１００の要求通信帯域幅を認識させる。そして、基地局装置２００は、要求通信帯域幅を割当可能な場合、端末装置１００と無線接続する。これにより、端末装置１００は、要求通信帯域幅を満たす基地局装置２００と通信することができ、十分なスループットを得ることがでる。また、基地局装置２００は、接続要求を受信することで要求通信帯域幅を認識することができるため、要求通信帯域幅を満たさない接続をすることはない。よって、端末装置１００は、無駄な接続、切断を行うことなく、要求通信帯域幅を満たす基地局装置２００と接続でき、通信開始までの時間を短縮することができる。
【００７８】
[第２の実施の形態]
次に、第２の実施の形態について説明する。第２の実施の形態では、接続要求は、さらに、端末装置が許容する、基地局装置が通信において送信するパケットの送信遅延時間を示す許容遅延時間を含む。基地局装置は、接続要求に含まれる候補通信帯域幅情報に対応する通信帯域幅を、接続要求の送信元の端末装置に提供することができる場合であって、かつ基地局装置の送信遅延時間が接続要求に含まれる許容遅延時間以下である場合、端末装置と前記無線接続を行う。
【００７９】
＜識別子−通信帯域幅対応テーブル＞
図１０は、第２の実施の形態における、識別子−通信帯域幅対応テーブル２２４の例を示す図である。第２の実施の形態では、基地局装置２００及び端末装置１００は、ネットワーク識別子と通信帯域幅との対応に加え、ネットワーク識別子と許容遅延時間との対応も記憶する。
【００８０】
遅延時間は、例えば、基地局装置２００が端末装置１００から受信したパケットを、送信先に装置に送信するまでの時間であり、基地局装置２００の処理能力によって数値が異なる。遅延時間は、例えば、基地局装置２００の処理能力が高い程、短くなる。
【００８１】
許容遅延時間は、例えば、端末装置１００が通信において許容する遅延時間である。端末装置１００は、例えば、遅延時間を想定し、単位時間あたりに送受信するデータ量を調整する。端末装置１００は、遅延時間が想定より大きくなると、通信相手装置にデータを送信するのが遅延したり、受信するデータが遅延したりし、十分なサービスを享受できない場合がある。そこで、端末装置１００は、想定する遅延時間、あるいは想定する遅延時間にマージンを加算した数値を、許容遅延時間と決定する。そして、端末装置１００は、要求通信帯域幅及び許容遅延時間に対応するネットワーク識別子を含めた接続要求を、基地局装置２００に送信する。
【００８２】
例えば、端末装置１００の要求通信帯域幅が２０Ｍｂｐｓで、許容遅延時間が２０ｍｓｅｃである場合、端末装置１００は、ネットワーク識別子ＩＤ２を含めた接続要求を送信する。基地局装置２００は、ネットワーク識別子ＩＤ２を含む接続要求を受信すると、残割当可能通信帯域幅が２０Ｍｂｐｓ以上であって、基地局装置２００の遅延時間が２０ｍｓｅｃ未満である場合、端末装置１００に接続応答を送信し、端末装置１００と無線接続する。
【００８３】
第２の実施の形態では、基地局装置２００は、要求通信帯域幅に加え、許容遅延時間も考慮し、端末装置１００と接続するか否かを判定する。これにより、端末装置１００は、十分なスループットを確保でき、かつ想定以上の遅延時間が発生しない基地局装置２００と接続することができ、遅滞なくサービスを享受することができる。
【００８４】
以上、第１及び第２の実施の形態を含む実施形態に関し、更に以下の付記を開示する。
【００８５】
（付記１）
複数の端末装置と、前記複数の端末装置それぞれと無線接続し、前記端末装置が行う通信を中継する複数の基地局装置を有する通信システムに含まれる基地局装置であって、
前記端末装置に提供する複数の通信帯域幅に対応する複数の候補通信帯域幅情報を含み、前記端末装置が無線接続可能な基地局装置を検出するための検出用信号を、報知する報知部と、
前記複数の候補通信帯域幅情報のいずれか１つの候補通信帯域幅情報を含む接続要求を、前記端末装置から受信する受信部と、
前記接続要求に応答し、前記接続要求に含まれる候補通信帯域幅情報に対応する通信帯域幅を、前記接続要求の送信元の前記端末装置に提供することができる場合、前記端末装置と前記無線接続を行う接続制御部とを有し、
前記接続要求に含まれる候補通信帯域幅情報は、前記端末装置が受信した検出用信号に含まれる前記複数の候補通信帯域幅情報のうち、前記端末装置が行う通信に用いる通信帯域幅に対応し、前記端末装置によって選択された候補通信帯域幅情報である
基地局装置。
【００８６】
（付記２）
前記接続制御部は、前記接続要求を送信する端末装置以外の端末装置であって、前記基地局装置に無線接続済みの接続中端末装置に提供している通信帯域幅を示す提供済通信帯域幅に基づき、前記接続要求に含まれる候補通信帯域幅情報に対応する通信帯域幅を、前記接続要求の送信元の前記端末装置に提供することができるか否かを判定する
付記１記載の基地局装置。
【００８７】
（付記３）
前記接続制御部は、前記提供済通信帯域幅と、前記接続要求に含まれる候補通信帯域幅情報に対応する通信帯域幅との合計が、前記基地局装置が提供可能な通信帯域幅を超えない場合、前記接続要求に含まれる候補通信帯域幅に対応する通信帯域幅を、前記接続要求を送信する前記端末装置に提供することができると判定する
付記２記載の基地局装置。
【００８８】
（付記４）
前記接続要求は、さらに、基地局装置が前記通信を中継するとき、パケットを受信してから受信したパケットを送信するまでの遅延時間であって、前記端末装置が許容する前記遅延時間を示す許容遅延時間を含み、
前記接続制御部は、前記接続要求に含まれる候補通信帯域幅情報に対応する通信帯域幅を、前記接続要求の送信元の前記端末装置に提供することができる場合であって、かつ前記基地局装置の前記遅延時間が前記接続要求に含まれる前記許容遅延時間以下である場合、前記端末装置と前記無線接続を行う
付記１記載の基地局装置。
【００８９】
（付記５）
前記候補通信帯域幅情報は、近距離無線通信において使用する、前記端末装置と前記基地局装置との間のネットワークを識別するネットワーク識別子である
付記１記載の基地局装置。
【００９０】
（付記６）
前記報知部は、他の基地局装置が前記検出用信号に含め報知する前記識別子と同じ識別子を、前記検出用信号に含め報知する
付記１記載の基地局装置。
【００９１】
（付記７）
さらに、前記複数の通信帯域幅と前記識別子との対応を記憶する記憶部を有する
付記５記載の基地局装置。
【００９２】
（付記８）
複数の端末装置と、前記複数の端末装置それぞれと無線接続し、前記端末装置が行う通信を中継する複数の基地局装置を有する通信システムに含まれる端末装置であって、
前記基地局装置が報知する、前記端末装置に提供する複数の通信帯域幅に対応する複数の候補通信帯域幅情報を含み、前記端末装置が無線接続可能な基地局装置を検出するための検出用信号を、受信する報知情報受信部と、
前記受信した検出用信号に含まれる前記複数の候補通信帯域幅情報のうち、前記通信に用いる通信帯域幅に対応する１つの候補通信帯域幅を含む接続要求を前記基地局装置に送信する要求送信部とを有し、
前記接続要求によって、前記接続要求を受信した前記基地局装置が、前記接続要求に含まれる候補通信帯域幅情報に対応する通信帯域幅を前記端末装置に提供することができる場合、前記基地局装置に前記端末装置と前記無線接続を行わせる
端末装置。
【００９３】
（付記９）
複数の端末装置と、前記複数の端末装置それぞれと無線接続し、前記端末装置が行う通信を中継する複数の基地局装置を有する通信システムであって、
前記基地局装置は、前記端末装置に提供する複数の通信帯域幅に対応する複数の候補通信帯域幅情報を含み、前記端末装置が無線接続可能な基地局装置を検出するための検出用信号を、報知し、
前記端末装置は、前記基地局装置が報知する検出用信号を受信し、前記受信した検出用信号に含まれる前記複数の候補通信帯域幅情報のうち、前記通信に用いる通信帯域幅に対応する１つの候補通信帯域幅を含む接続要求を前記基地局装置に送信し、
前記基地局装置は、前記接続要求に応答し、前記接続要求に含まれる候補通信帯域幅情報に対応する通信帯域幅を、前記接続要求の送信元の前記端末装置に提供することができる場合、前記端末装置と前記無線接続を行う
通信システム。
【００９４】
（付記１０）
複数の端末装置と、前記複数の端末装置それぞれと無線接続し、前記端末装置が行う通信を中継する複数の基地局装置を有する通信システムにおける通信方法であって、
前記基地局装置が、前記端末装置に提供する複数の通信帯域幅に対応する複数の候補通信帯域幅情報を含み、前記端末装置が無線接続可能な基地局装置を検出するための検出用信号を、報知し、
前記端末装置が、前記基地局装置が報知する検出用信号を受信し、前記受信した検出用信号に含まれる前記複数の候補通信帯域幅情報のうち、前記通信に用いる通信帯域幅に対応する１つの候補通信帯域幅を含む接続要求を前記基地局装置に送信し、
前記基地局装置が、前記接続要求に応答し、前記接続要求に含まれる候補通信帯域幅情報に対応する通信帯域幅を、前記接続要求の送信元の前記端末装置に提供することができる場合、前記端末装置と前記無線接続を行う
通信方法。
【符号の説明】
【００９５】
１０…通信システム                       １００…端末装置
１１０…ＣＰＵ                           １２０…ストレージ
１２１…通信プログラム                   １２２…基地局接続プログラム
１２２１…基地局検索モジュール           １２２２…要求通信帯域幅取得モジュール
１２２３…基地局選択モジュール           １２３…通信帯域幅対応テーブル
１３０…メモリ                           １５０…ＲＦ回路
２００…基地局装置                       ２１０…ＣＰＵ
２２０…ストレージ                       ２２１…通信制御プログラム
２２２…接続制御プログラム               ２２２１…接続要求受信モジュール
２２２２…接続判定モジュール             ２２３…検出用信号報知プログラム
２２４…通信帯域幅対応テーブル           ２３０…メモリ
２３４…通信帯域幅対応テーブル           ２４０…ＮＩＣ
２５０…ＲＦ回路
【図１】
2018098685.tif 000003
【図２】
2018098685.tif 000004
【図３】
2018098685.tif 000005
【図４】
2018098685.tif 000006
【図５】
2018098685.tif 000007
【図６】
2018098685.tif 000008
【図７】
2018098685.tif 000009
【図８】
2018098685.tif 000010
【図９】
2018098685.tif 000011
【図１０】
2018098685.tif 000012